(57)【要約】【課題】  キュリー温度の設定により非通紙部昇温を防止すると共に立ち上げ時間の短縮を図る。【解決手段】  像加熱部材をキュリー温度に近い設定温度になるまで上昇させる工程中にコイルに通電される電流の周波数は、記録材上の像を加熱する工程中の周波数よりも大きくする。【選択図】  図２
2009003264.tif 000002
【特許請求の範囲】
【請求項１】
コイルと、前記コイルに高周波電流を流すための高周波回路と、前記コイルに通電される高周波電流により生ずる磁束により発熱する導電層を有し、記録材上の像を所定の像加熱温度で加熱する像加熱部材と、前記コイルへの通電を制御する通電制御手段と、を有する像加熱装置において、
前記像加熱部材のキュリー温度は前記像加熱温度以上で像加熱装置の耐熱温度未満であり、像加熱部材をキュリー温度に近い設定温度になるまで上昇させる工程中に前記コイルに通電される電流の周波数は、記録材上の像を加熱する工程中の周波数よりも大きくすることを特徴とする像加熱装置。
【請求項２】
前記設定温度は像加熱温度であることを特徴とする請求項１に記載の像加熱装置。
【請求項３】
前記工程中に前記コイルに通電される電流の周波数と像加熱工程中に前記コイルに通電される電流の周波数とは一定であることを特徴とする請求項１または請求項２のいずれかに記載の像加熱装置。
【請求項４】
前記加熱部材の導電層の厚さをｄ（ｍｍ）と、前記加熱部材の透磁率をμ（Ｈ／ｍ）と、前記加熱部材の導電層の固有抵抗をρ（Ω・ｍ）と、設定温度まで上昇させる工程中に前記コイルに通電される電流の周波数ｆ１（Ｈｚ）と、像加熱中に像加熱部材の温度を像加熱温度に維持するために前記コイルに通電される電流の周波数ｆ２（Ｈｚ）と、は
【数１】
2009003264.tif 000009
の関係を満たすことを特徴とする請求項３に記載の像加熱装置。
【発明の詳細な説明】
【技術分野】
【０００１】
本発明は、電磁誘導方式の像加熱装置、および電磁誘導方式の像加熱装置を備える複写機・プリンタ・ファクシミリ等の画像形成装置に関する。
【背景技術】
【０００２】
電子写真方式・静電記録方式等の画像形成装置は、シート状の記録材（記録紙・転写材など）上に形成されたトナー画像を記録材上に定着する或いは加熱する像加熱装置を備える。
【０００３】
この像加熱装置は、加熱ローラ（定着ローラ）もしくはエンドレスの加熱ベルトである像加熱手段と、像加熱手段を加圧して、記録材を挟持搬送するニップ部を形成する加圧手段と、を有する。
【０００４】
像加熱手段（以下、像加熱ローラと記す）は、発熱体によって内部または外部より、直接もしくは間接的に加熱されて、表面温度が所定の定着温度に維持される。発熱体は、例えばハロゲンヒータや抵抗発熱体等が挙げられる。
【０００５】
未定着のトナー画像が形成された記録材は、ニップ部で加熱されると共に加圧されて、未定着のトナー画像が記録材面に固着画像として定着される。
【０００６】
近年は、画像形成装置の省エネルギー化と、ウォームアップ時間の短縮といったユーザーの操作性向上の両立を図ることが重視されている。このことから像加熱ローラが直接発熱して発熱効率の高い誘導加熱方式を用いた像加熱装置（以下、誘導像加熱装置と記す）が提案されている（特許文献１）。
【０００７】
この誘導像加熱装置は、励磁コイルが発生する磁束の作用によって、金属導体からなる中空の像加熱ローラに誘導電流（渦電流）を発生させ、加熱ローラ自体の表皮抵抗によって加熱ローラそのものがジュール発熱する。そのため、この誘導像加熱装置によれば、ウォームアップ時間の短縮が可能となる。
【０００８】
また、このような誘導像加熱装置においては、印加する高周波電流の周波数、加熱ローラの透磁率および固有抵抗値とから決定される表皮抵抗に比例した電力が発熱する。したがって、印加する高周波電流の周波数を制御することによって、加熱ローラの発熱量を常に最適化することができ、装置の省エネルギー化を達成することが可能となる。
【０００９】
一方で、このような誘導像加熱装置にあっては、磁束により発熱する表皮深さがコイルに通電される周波数、像加熱ローラの固有抵抗値によって決められる。そのため、加熱ローラの厚みが表皮深さよりも熱い場合には、発熱量は変わらないため、加熱ローラの厚さが大きくなるほど、かえって発熱効率が低下してしまい、ウォームアップ時間短縮の効果を得ることが困難となる。
【００１０】
逆に加熱ローラの厚さが表皮深さよりも薄いと、磁束が加熱ローラを突き抜けてしまい、発熱量が少なくなるだけでなく、加熱ローラ周辺の金属部材を加熱してしまう。したがって、加熱ローラの厚さはおおよそ５０〜２０００μｍ程度が望ましい。
【００１１】
このような誘導像加熱装置においても、従来の像加熱装置と同様に小サイズの記録材を連続通紙すると、記録材が通過しない非通紙部領域の昇温（非通紙部昇温）が発生する。
【００１２】
この非通紙部昇温対策として、特許文献２に開示されるように、像加熱ローラに、キュリー温度が所定の定着温度に調整された整磁合金を用いた誘導像加熱装置が提案されている。一般に磁性材料は、加熱されて材料固有のキュリー温度を越えると自発磁化が消失する。そのため、磁性材料内に通過する磁束密度が減少し、それに伴って磁性材料中に誘導される渦電流が減少することで、磁性材料の発熱量が減少する。したがって、加熱ローラの材料として、所定温度に調整されたキュリー温度を持つ整磁合金を用いることで、加熱ローラは所定温度以上に加熱されることが無い。そのため、上述の非通紙部昇温を改善することが可能となる。
【特許文献１】特開昭５９−３３７８７号公報
【特許文献２】特開２０００−３９７９７号公報
【発明の開示】
【発明が解決しようとする課題】
【００１３】
ところが、上述のような、キュリー温度が非通紙部昇温を低減できる範囲にある像加熱ローラを用いると、像加熱ローラの温度がキュリー温度に近づくと、透磁率が減少する。それに伴い、発熱量が減少するために、温度上昇が遅くなってしまい、像加熱ローラの温度がウォームアップ終了となる温度に達するまでの時間が長くなってしまう。
【００１４】
それに対して、周波数を大きくして発熱量を多くするために表皮深さを小さくすることで発熱量を上げることができる。
【００１５】
しかし、像加熱時にその大きい周波数が用いられると発熱量が大きいために、非通紙部昇温の上昇が早くなるといった問題が生ずる。
【００１６】
そこで本発明は、キュリー温度が非通紙部昇温を低減できる温度であっても、ウォームアップの時間を短くすることを目的とする。
【課題を解決するための手段】
【００１７】
コイルと、前記コイルに高周波電流を流すための高周波回路と、前記コイルに通電される高周波電流により生ずる磁束により発熱する導電層を有し、記録材上の像を所定の像加熱温度で加熱する像加熱部材と、前記コイルへの通電を制御する通電制御手段と、を有する像加熱装置において、前記像加熱部材のキュリー温度は前記像加熱温度以上で像加熱装置の耐熱温度未満であり、像加熱部材をキュリー温度に近い設定温度になるまで上昇させる工程中に前記コイルに通電される電流の周波数は、記録材上の像を加熱する工程中の周波数よりも大きくする。
【発明の効果】
【００１８】
本発明により、キュリー温度が非通紙部昇温を低減できる温度であっても、ウォームアップの時間を短くできる。
【発明を実施するための最良の形態】
【００１９】
以下、本発明を実施するための形態を図面に基づいて説明する。
【００２０】
（１）画像形成装置例
図１は本発明に従う電磁誘導加熱方式の像加熱装置を画像形成装置の定着装置として備えた画像形成装置の一例の概略構成模型図である。
【００２１】
本例の画像形成装置は電子写真プロセスを用いたレーザー走査露光方式のデジタル画像形成装置（複写機、プリンタ、ファクシミリ、それらの複合機能機等）である。
【００２２】
４１は像担持体としての回転ドラム型の感光体（感光ドラム）であり、矢印の方向に所定の周速度をもって回転する。一次帯電器４２は、感光ドラムをマイナスの所定の暗電位Ｖｄに一様に帯電する。
【００２３】
４３は像露光手段であるレーザービームスキャナである。不図示の画像読取装置、コンピュータ等のホスト装置から入力されるデジタル画像信号に対応して変調されたレーザービームＬを出力し、前記の感光ドラム４１の一様帯電処理面を走査露光する。この走査露光により、感光ドラム４１の露光部分は電位絶対値が小さくなって明電位Ｖｌとなり、感光ドラム４１面に画像信号に対応した静電潜像が形成される。静電潜像は現像器４４により、感光ドラム面の露光明電位Ｖｌ部にマイナスに帯電したトナーが付着することで、トナー画像として顕像化される。
【００２４】
一方、不図示の給紙トレイ上から給紙された記録材Ｐは、転写バイアスが印加された転写部材としての転写ローラ４５と感光ドラム４１とが圧接している転写部へ適切なタイミングをもって搬送される。そして、記録材Ｐの面に感光ドラム４１上のトナー画像ｔが順次転写される。
【００２５】
トナー画像ｔが形成された記録材Ｐは、感光ドラム４１から分離され、定着装置Ｆに導入されて、熱と圧によって、トナー画像ｔが記録材上に定着され、その後機外に排出される。
【００２６】
記録材Ｐを分離した後の感光ドラム４１の表面は、クリーニング装置４６で感光ドラム表面に残った転写残トナーがクリーニングされ、その後、繰り返して作像に供される。
【００２７】
（２）定着装置Ｆ
図２は像加熱装置である定着装置Ｆの要部の拡大横断面模型図、図３は要部の正面模型図、図４はその縦断正面模型図である。
【００２８】
この定着装置Ｆは、電磁誘導加熱方式で発熱する加熱ローラ型の像加熱装置である。磁束により発熱する導電層を有する加熱ローラ１（像加熱部材）と、加熱ローラ１と記録材を挟持搬送するニップ部を形成する加圧部材としての加圧ローラ２を有するものである。
【００２９】
加熱ローラ１は、外径が４０ｍｍ、厚さは０．８ｍｍ、長さ３４０ｍｍである。また、本実施例ではキュリー温度が２１０℃になるように鉄、ニッケル、クロム、マンガン等の材料が配合され、固有抵抗が約５Ω・ｍである整磁合金よりなる導電層である芯金１ａを有する。このキュリー温度は、画像形成時に記録材上の像を加熱する像加熱温度以上（本実施例では２００℃以上）の温度で、像加熱装置の耐熱温度未満（本実施例では２３０℃未満）の温度に設定した。
【００３０】
また、芯金上にはトナーに対する離型性を高めるためにＰＦＡやＰＴＦＥ等のフッ素樹脂より成る、厚さ３０μｍの表層１ｂを設けられている。また、カラー画像等の高画質な定着画像を得るために、芯金１ａと表層１ｂの間にシリコーンゴムなどの耐熱弾性層を設けても良い。
【００３１】
この加熱ローラ１はその両端部側をそれぞれ定着装置の枠体の一部である手前側と奥側の側板（定着ユニットフレーム）２１・２２間に軸受２３を介して回転可能に支持させて配設してある。加熱ローラ１の内部には、上記の加熱ローラ１に誘導電流（渦電流）を誘起させてジュール発熱させるための高周波磁界を生じさせるためのコイルを有する磁場発生手段としてのコイル・アセンブリ３を挿入して配置してある。
【００３２】
加圧ローラ２は、外径３８ｍｍ、長さは３３０ｍｍであって、外径２８ｍｍ、肉厚３ｍｍの芯金２ａを有する。また、芯金２ａの周面に形成される厚さ５ｍｍの耐熱弾性層２ｂ、および耐熱弾性層２ｂの周面に形成されるＰＦＡ、ＰＴＦＥなどのフッ素樹脂より成る厚さ３０μｍの表層２ｃとから成る。
【００３３】
この加圧ローラ２は上記の加熱ローラ１の下側に並行に配列して、芯金２ａの両端部側をそれぞれ定着装置の枠体の手前側と奥側の側板２１・２２間に軸受２６を介して回転自在に保持させてある。
【００３４】
そして、上記の加熱ローラ１と加圧ローラ２を互いに不図示の加圧機構によって、該両ローラ１・２間に記録材Ｐを挟持搬送してトナー像を加熱定着する幅約５ｍｍの定着ニップ部Ｎが形成されている。
【００３５】
ここで、本発明において、装置構成部材についてその長手方向（回転軸線方向）とは、定着ニップ部Ｎを含む平面において記録材Ｐの搬送方向に対して直交する方向としている。また、中央部及び端部は、その長手方向の中央部及び端部である。
【００３６】
加熱ローラ１の内部に挿入されたコイル・アセンブリ３は、ボビン４、磁性材からなる芯材（磁性コア）５（１，２）、励磁コイル（コイル）６、絶縁部材製のステー７等を有する。磁性芯材５はボビン４に保持されており、励磁コイル６はボビン４の周囲に電線を巻回して形成されている。このボビン４・磁性芯材５・励磁コイル６とが一体となったコイルユニットはステー７に固定支持されている。
【００３７】
コイル・アセンブリ３は加熱ローラ１の内面と励磁コイル６間に一定のギャップを保持させた状態にしてステー７の両端部７ａ・７ａでそれぞれ定着装置の手前側と奥側の保持部材２４・２５に非回転に固定支持されている。ボビン４・磁性芯材５・励磁コイル６のユニットは加熱ローラ１の外部に露呈しないように収納されている。
【００３８】
磁性芯材５はフェライト、パーマロイ等の、高透磁率で残留磁束密度の低い材料であって、励磁コイル６によって発生した磁束を加熱ローラ１に導くものである。本実施例における磁性芯材５は横断面Ｔ字型であり、Ｔ字の横棒部分と縦棒部分とを構成する２枚の板状磁性芯材５（１）と５（２）とが組み合わされている。
【００３９】
励磁コイル６は、図４のように、加熱ローラ１の長手方向に平行に延び、磁性芯材５を周回するようにボビン４の形状に合せて横長舟型に複数回巻回して両端で折り曲げられて巻かれるリッツ線を束ねたものである。また、加熱ローラ１の内周に沿うように湾曲して配置されている。６ａ・６ｂは上記励磁コイル６の２本のリード線（コイル供給線）であり、ステー７の奥側から外部に引き出して、励磁コイル６に高周波電流を供給する高周波インバーター（高周波回路）１０１に接続してある。高周波インバーターはスイッチング素子を有し、このスイッチング素子のＯＮ／ＯＦＦにより、所定の周波数の電流をコイルに流すことができる。
【００４０】
１１は加熱ローラ１の温度検知部材としてのサーミスタである。このサーミスタについては後述する。
【００４１】
１２は定着前ガイド板であり、作像機構部側から定着装置Ｆに搬送された記録材Ｐを定着ニップ部Ｎの入口部に案内する。１３は分離爪であり、定着ニップ部Ｎに導入されて定着ニップ部Ｎを出た記録材Ｐが加熱ローラ１に巻き付くことを抑え、加熱ローラ１から記録材を分離するためのものである。１４は定着後ガイド板であり、定着ニップ部Ｎの出口部を出た記録材Ｐを排紙案内する。
【００４２】
前記のボビン４、ステー７、分離爪１３は耐熱および電気絶縁性エンジニアリング・プラスチックから形成されている。
【００４３】
Ｇ１は加熱ローラ１の奥側の端部側に固着させた加熱ローラを駆動するためのドライブギアである。このドライブギアＧ１に駆動源Ｍ１から伝達系を介して駆動力が伝達されることで、加熱ローラ１が図２において矢印Ａの時計方向に本実施例では３００ｍｍ／ｓｅｃの周速度にて回転する。加圧ローラ２は定着ニップ部Ｎでの加熱ローラ１との摩擦力で加熱ローラ１の回転に従動して矢印の反時計方向Ｂに回転する。
【００４４】
１５はクリーニング部材としての加熱ローラクリーナである。クリーニングウエブ１５５ａをロール巻きに保持したウエブ繰り出し軸部１５ｂと、ウエブ巻取り軸部１５ｃと、該両軸部１５ｂ・１５ｃ間のウエブ部分を加熱ローラ１の外面に押し付ける押し付けローラ１５ｄを有する。押し付けローラ１５ｄで加熱ローラ１に押し付けたウエブ部分で加熱ローラ１面にオフセットしたトナーが拭われて加熱ローラ面が清掃される。加熱ローラ１に押し付けられるウエブ部分は繰り出し軸部１５ｂ側から巻取り軸部１５ｃ側にウエブ１５ａが少しずつ送られることで徐々に更新される。
【００４５】
本実施例では、通紙は中央基準で行われる。Ｓはその中央基準である。すなわち、いかなる記録材サイズでも、記録材の中央部が加熱ローラ軸方向中央部を通過することになる。本実施例の画像形成装置においては、通紙できる記録材の最大サイズ（以下、大サイズ紙と記す）は例えばＡ３（２９６ｍｍ）である。また通紙できる記録材の最小サイズ（以下、小サイズ紙と記す）は例えばＢ５縦（１４８ｍｍ）である。Ｐ１はその大サイズ紙の通紙領域幅、Ｐ２は小サイズ紙の通紙領域幅である。
【００４６】
サーミスタ１１は、小サイズ紙の通紙領域幅Ｐ２の略中央部に対応する定着ローラ中央部分に設けられている。また、サーミスタ１１は、加熱ローラ１を隔てて励磁コイル６に向かい合うように、定着ローラ１の表面に対して弾性部材により押圧して弾性的に圧接されて配置されている。このサーミスタ１１の加熱ローラ温度の検知信号は制御回路部（ＣＰＵ）１００に入力される。
【００４７】
画像形成装置の制御回路部１００は装置のメイン電源スイッチのＯＮにより装置を起動させて所定の立ち上げモード（設定温度になるまで上昇させる工程）をスタートさせる。加熱ローラ１の回転は駆動源Ｍ１の起動により開始する。この加熱ローラ１の回転に従動して加圧ローラ２も回転する。また制御回路部１００は高周波インバーター１０１を起動させて励磁コイル６に高周波電流を流す。本実施例では、立上げ工程中の高周波電流の周波数ｆ１は６０ｋＨｚである。これにより励磁コイル６の周囲に高周波交番磁束が発生し、加熱ローラ１が電磁誘導発熱して所定の像加熱温度である定着温度、本実施例では２００℃に向かって昇温していく。定着温度は、キュリー温度に近い温度の関係となっている。この加熱ローラ１の昇温がサーミスタ１１で検知され、その検知温度情報が制御回路部１００に入力する。
【００４８】
加熱ローラ１の温度が２００℃に到達したら、画像形成信号の入力を待機するスタンバイ状態（待機モード）となる。スタンバイ中（待機モード中）においては、通電制御手段である制御回路部１００は、加熱ローラ１の大サイズ紙通紙領域幅Ｐ１の略全域が定着温度２００℃に維持するよう、高周波電流を制御する。本実施例ではスタンバイ温度は２００℃である。本実施例では、高周波電流の周波数ｆ２は２０ｋＨｚである。
【００４９】
そして、この待機モード時に画像形成信号が入力されると、記録材上にトナー像が形成される。そして、未定着トナー像ｔを担持した記録材Ｐが定着ニップ部Ｎで挟持搬送されることで、所定の定着温度に維持された加熱ローラ１の熱と圧により、未定着トナー像ｔが記録材Ｐの面に加熱定着される。像加熱工程中（定着動作中）においては、通電制御手段である制御回路部１００は、加熱ローラ１の大サイズ紙通紙領域幅Ｐ１の略全域が定着温度２００℃に維持するよう、高周波電流を制御する。本実施例では定着温度は２００℃である。本実施例では、高周波電流の周波数ｆ２は２０ｋＨｚとし、待機モード中と同じ周波数である。なお、像加熱工程中はサーミスタの出力と定着温度との差分に応じて、コイルに印加される電力の変更が行われている。
【００５０】
ここで、立ち上げモードと像加熱工程中とで周波数を異ならせる理由を説明する。周波数を大きくすると、キュリー温度に近い温度での発熱量を増やすことができる。そのため、立ち上げ時間を短縮するためには、発熱量を大きくすることが好ましい。しかし、像加熱中に発熱量を大きくする設定にする、小サイズの記録材を連続通紙する際の非通紙部昇温の上昇速度が速くなる問題が生ずる。非通紙部昇温の上昇速度を遅くするためには、像加熱動作中の発熱量は大きすぎない構成がいい。
【００５１】
また、本実施例では、待機モードの周波数と立ち上げモードの周波数とを異ならせる理由を説明する。周波数を高くすると表皮深さが小さくなることで、発熱量が多くなる。発熱量を多くすることは、冷えている加熱ローラを短時間で加熱する点については有利である。しかし、待機時といったような加熱ローラの温度が定着温度に達しているような状態で、発熱量を多くする周波数を選択すると、加熱ローラ上の温度リップルが大きくなるといった欠点がある。加熱ローラの温度リップルが大きい状態で、画像形成信号が入力されて、定着動作が行われると、画像によっては温度ムラに依存する光沢ムラといった問題が発生しうる。そのため、待機時では温度リップルをできるだけ、小さい方が好ましい。
【００５２】
ここで、図５を用いて、加熱ローラ芯金１ａの電磁誘導発熱原理を説明する。励磁コイル６には、高周波インバーター１０１から交流電流が印加され、これによって励磁コイル６の周囲には矢印Ｈで示した磁束が生成消滅を繰り返す。磁束Ｈは、磁性芯材５（１，２）と芯金１ａによって形成された磁路に沿って導かれる。励磁コイル６が生成した磁束の変化に対して、芯金１ａ内では、磁束の変化を妨げる方向に磁束を発生するように渦電流が発生する。この渦電流を矢印Ｃで示す。
【００５３】
この渦電流Ｃは、表皮効果により芯金１ａの励磁コイル６側の面に集中して流れ、芯金１ａの表皮抵抗Ｒｓ（Ω）に比例した電力で発熱を生じる。
【００５４】
ここで、励磁コイル６に印加する交流電流の周波数ｆ（Ｈｚ）、芯金１ａの導体の透磁率μ（Ｈ／ｍ）、芯金１ａの固有抵抗ρ（Ω・ｍ）から得られる表皮深さδ（ｍ）および表皮抵抗Ｒｓ（Ω）は、式１および式２で示される。
【００５５】
【数１】
2009003264.tif 000003
（式１）
【００５６】
【数２】
2009003264.tif 000004
（式２）
【００５７】
また、芯金１ａに発生する電力Ｗは、芯金１ａに誘導される渦電流をＩｆ（Ａ）として、式３で示される。
【００５８】
【数３】
2009003264.tif 000005
（式３）
【００５９】
以上より、芯金１ａの発熱量を増加させるためには、渦電流Ｉｆを大きくする、または表皮抵抗Ｒｓを大きくすればよい。
【００６０】
渦電流Ｉｆを大きくするためには、励磁コイル６によって生成される磁束を強くする、あるいは磁束の変化を大きくすればいい。例えば、励磁コイル６の巻き数を増やしたり、磁性芯材５として、より高透磁率で残留磁束密度の低いものを用いると良い。また、磁性芯材５と芯金１ａとのギャップｄを少なくすることで、芯金１ａ中に導かれる磁束が増加するため、渦電流Ｉｆを大きくすることが出来る。
【００６１】
一方、表皮抵抗Ｒｓを大きくするためには、励磁コイル６に印加する交流電流の周波数ｆを高くするか、透磁率μの高く、固有抵抗の高い材料の芯金１ａとする。
【００６２】
次にキュリー温度について説明する。一般に強磁性体は、材料固有のキュリー温度まで加熱されると、自発磁化を失い透磁率μが減少する。したがって、加熱ローラ１の導電部材である芯金１ａの温度がキュリー温度を越えてしまうと、表皮抵抗Ｒｓが減少する。その結果、芯金１ａの発熱量Ｗが減少する。
【００６３】
一般に抵抗値は式２で表されるとおり、周波数が一定の場合は透磁率μと抵抗率ρで決まり、一般に抵抗率は温度上昇に伴って緩やかに増加する。
【００６４】
ここで、加熱ローラ１の抵抗値（表皮抵抗）Ｒｓは磁束発生手段を加熱ローラに装着したときのコイルに電流を流したときのコイルからみた加熱ローラのみかけの負荷抵抗に相当する。
【００６５】
このみかけの抵抗値の測定方法、及び抵抗値の温度依存性は以下のように測定する。アジレント社製のＬＣＲメータ（型番ＨＰ４１９４Ａ）を用いて、周波数２０ｋＨｚの交流を印加した際の加熱ローラの抵抗値を測定した。このとき、加熱ローラ１、磁束発生手段である励磁コイル、コアは像加熱装置に装着された状態で測定するものとする。このとき加熱ローラの温度を変えていき、温度と加熱ローラの抵抗値を同時にプロットしていくことで加熱ローラ１の抵抗値の温度特性曲線を得ることができる。
【００６６】
また、加熱ローラの温度を変えるには、恒温室に加熱ローラ１及び磁束発生手段を装置に装着させた位置関係に保った状態で、加熱ローラの温度を変化させる。そして、ローラ温度を高温室の温度に飽和させてから上記の測定法で抵抗値を測定する。
【００６７】
このように測定すると、抵抗値の温度依存性は図９のような曲線になる。
【００６８】
また、透磁率の測定方法は以下のように行なう。岩通計測株式会社製のＢ−Ｈアナライザー（型番：ＳＹ−８２３２）を用いて測定した。測定試料に装置の所定の一次コイルと二次コイルを巻きつけて周波数２０ｋＨｚで測定する。測定試料はコイルが巻きつけられる形状であれば構わない（透磁率の異なる温度同士の比率は殆ど変わらない）。
【００６９】
試料にコイルを設定したら、恒温室に試料を入れて温度を飽和させ、その温度における透磁率をプロットする。恒温室の温度を変えてやることで透磁率の温度依存性曲線が得られる。恒温室の温度を上昇させていき、ある温度で透磁率が変化しなくなる。この透磁率が変化しなくなった温度をキュリー温度とみなす。
【００７０】
このように測定すると透磁率の温度依存性は図８のような曲線になる。
【００７１】
図７に示すように、芯金１ａの厚さｄ（ｍｍ）がδｃ（ｍｍ）と比較して狭い場合は、芯金１ａの断面のおよそすべてに渦電流が流れるため、発熱量が減少する。実際には、芯金１ａの温度がキュリー温度より低い場合においても、キュリー温度に近づくにつれて透磁率も低下し、それに伴って発熱量も減少するため、クイックスタート性が悪化してしまう。
【００７２】
一方で、発熱量の減少を抑えるためには、立ち上げモード中の励磁コイルに印加する高周波電流の周波数を、像加熱動作中よりも大きくすれば良い。具体的には、立ち上げモード時において、立ち上げ完了となる温度における表皮深さの長さが芯金１ａの厚さｄよりも少なければよい。高周波電流の周波数ｆ１を印加したときの、少なくとも立ち上げ完了となる温度における表皮深さの長さが芯金１ａの厚さｄよりも少なければよい。さらには、高周波電流の周波数ｆ１を印加したときの、キュリー温度を越えたときの表皮深さδｃが、芯金１ａの厚さｄよりも少なければ、キュリー温度を越えた場合における発熱量を従来よりも増加させることが可能となる。その結果、芯金１ａの温度がキュリー温度に近づいても、発熱量の減少が従来よりも少なくなるため、クイックスタート性を損なうことがない。
【００７３】
逆に、キュリー温度を越えた場合の表皮深さδｃが芯金１ａよりも小さい場合は、通紙時において、非通紙部昇温が悪化してしまう。
【００７４】
以上のことから、立ち上げモードと像加熱動作時における、励磁コイル６に印加する高周波電流の周波数を式１を満たすよう設定する。
【００７５】
【数４】
2009003264.tif 000006
（式４）
【００７６】
この構成にすることで、クイックスタート性を損なわず、かつ非通紙部昇温を防止もしくは低減することが可能となる。本実施例においては、高周波電流の周波数を６０ｋＨｚと２０ｋＨｚとの切り換えが可能である。そして、立ち上げモードが選択されたときには高周波電流の周波数ｆ１を６０ｋＨｚ、像加熱動作中には高周波電流の周波数ｆ２を２０ｋＨｚ、芯金１ａの固有抵抗ρを５Ω・ｍとした。また、スタンバイ時の周波数は、２０ｋＨｚとした。
【００７７】
本実施例では、立ち上げモード時の周波数をｆ１と一定にし、待機モードにおける高周波電流の周波数ｆ２は一定とした。
【００７８】
本実施例では、立ち上げモード時と像加熱動作時とで周波数をそれぞれ一定としている。一方、立ち上げモード時及び像加熱動作時とでは電力を切り換える必要がある。本実施例では、励磁回路内には、電源の電圧を直流電圧に整流し、直流電圧値を切り換える切り換え回路が設けられている。この直流電圧切り換え回路内で電圧値を切り換えることで、周波数を一定のままでコイルに印加する電力を切り換えることができる。
【００７９】
図６に、本実施例の加熱定着装置における、立ち上げモード時の加熱ローラ温度の上昇グラフを示す。本実施例では、立ち上げモード時は６０ｋＨｚの高周波電力を励磁コイルに印加する。そして、加熱ローラ温度が定着温度である２００℃に達すると、待機モードに移行し、周波数を６０ｋＨｚから２０ｋＨｚに切り換えて、２０ＫＨｚの高周波電力を励磁コイルに印加する。本実施例の加熱定着装置における、２００℃までの立ち上がり時間（ウェイトタイム）は、２９秒であった。また、比較例として、立ち上げモード時および待機モード時のいずれも、励磁コイルに２０ｋＨｚの高周波電力を印加した場合、ウウェイトタイムは３４秒であった。このようにウェイトタイムに差があるのは、図８を参照すると、透磁率が変化し始める点Ａが本実施例では図６の１７０℃に対応しているためである。１７０℃を越えると、次第に透磁率が低下し始めることで、発熱量が少なくなるため、ウェイトタイムが長くなる。
【００８０】
なお、本実施例では、像加熱時の周波数は待機時と同じ周波数である。
【００８１】
上記の実施例では、立ち上げモード時の周波数は６０ｋＨｚにしたが、
【００８２】
【数５】
2009003264.tif 000007
【００８３】
の関係を満たす立ち上げモード時の周波数を複数設定し、この複数の周波数から像加熱部材の温度に応じて周波数を選択する公正であってもいい。
【００８４】
また、待機モード時においても、
【００８５】
【数６】
2009003264.tif 000008
【００８６】
の関係を満たす周波数を複数設けておき、周波数を適度に選択する構成であってもいい。
【００８７】
なお、像加熱動作時とは、記録材がニップ部を通過しているときである。上記の実施例では、像加熱動作時の周波数を２０ｋＨｚとしたが、画像形成信号の入力による前回転開始から画像形成終了後の後回転の終了である画像形成動作時の周波数を２０ｋＨｚに固定する構成であってもいい。
【００８８】
本実施例では整磁合金のキュリー温度を２１０℃、待機モード時の加熱ローラ温度及び定着温度を２００℃として説明したが、本発明はこれに限られるものではない。即ち、使用するトナーや定着装置の構成によってキュリー温度を最適になるよう設定しても、本発明は適応可能である。また、搬送される紙の厚みや加熱ローラの畜熱状態によっては定着温度を複数有しても本発明は適応可能である。また、励磁コイルに印加する高周波電流は、立ち上げモード時は６０ｋＨｚ、像加熱動作時は２０ｋＨｚと説明したが、使用する整磁合金や高周波電源、像加熱装置の構成等によって適時最適な周波数を選択して良い。
【００８９】
また、本実施例では、加熱ローラを用いた熱ローラ像加熱装置であるが、エンドレスベルトを用いたベルト加熱方式等にも適用できることは自明である。また、複数の異なる金属を積層させたクラッドローラを用いる場合も、整磁合金の層が少なくとも１層備えれば、本発明を適用可能である。
【００９０】
また、本発明は、記録材上の異なる色のトナーを重ね合わせてカラー画像を形成するカラー画像形成装置に用いても、同様の効果を得ることができる。
【図面の簡単な説明】
【００９１】
【図１】実施例における画像形成装置例の概略構成図
【図２】実施例における定着装置（電磁誘導加熱方式の像加熱装置）の要部の拡大横断面模型図
【図３】同じく要部の正面模型図
【図４】その縦断正面模型図
【図５】加熱ローラの発熱原理を示す図
【図６】実施例における加熱定着装置の温度上昇を示す図
【図７】実施例における渦電流が誘導される領域を示す図
【図８】透磁率の温度依存性曲線を示した図
【図９】加圧ローラの抵抗値の温度依存性曲線を示した図
【符号の説明】
【００９２】
１  加熱ローラ（導電部材）
２  加圧ローラ
３  コイル・アセンブリ（磁場発生手段）
５  磁性芯材（磁性コア）
６  励磁コイル
１１  サーミスタ（温度検知手段）
４１  感光体（感光ドラム）
４２  一次帯電器
４３  レーザービームスキャナ
４４  現像器
４５  転写ローラ
４６  クリーニング装置
Ｆ  定着装置
Ｐ  記録材（被加熱材）
ｔ  トナー像
【図１】
2009003264.tif 000010
【図２】
2009003264.tif 000011
【図３】
2009003264.tif 000012
【図４】
2009003264.tif 000013
【図５】
2009003264.tif 000014
【図６】
2009003264.tif 000015
【図７】
2009003264.tif 000016
【図８】
2009003264.tif 000017
【図９】
2009003264.tif 000018